(57)【要約】      （修正有）【課題】電気機器にて消費される電力，あるいは機器の稼働状態でのインピーダンス，絶縁抵抗等を，簡便，迅速に，測定者の安全衛生を確保しつつ計測する装置を提供する。【解決手段】電気機器の試験，検査については，機器に印加される電圧，電流を，簡便，確実，そして必要な精度で正確に検出することが，作業の効率，安全のために重要である。電気機器に印加される電圧，あるいは電流の検出が，電気機器の設置された箇所では困難である場合，当該の電気機器に供給されている配電系統の別の箇所から検出し，必要な測定を実施する。【選択図】図−１
2009250966.tif 000002
【特許請求の範囲】
【請求項１】
電気機器，家電機器における電力，インピーダンス，あるいは漏れ電流の測定を目的とする交流測定器において，同交流測定器に入力する電圧、あるいは電流信号を測定対象である電気機器の電源入力点でなく，機器と同一の電気系統に設置された壁コンセント，分電盤，配電盤，制御盤等にて検出することを特徴とする交流測定器。
【請求項２】
壁コンセントあるいは分電盤等において検出した電圧あるいは電流信号を，１ビット以上のアナログ・ディジタル変換器にてディジタル信号に変換することで，電圧と電流の位相差，あるいは同位相差に加えて，電圧，あるいは電流の大きさを示す情報として，有線，あるいは無線の通信手段にて交流測定器に入力することを特徴とする交流測定器。
【発明の詳細な説明】
【技術分野】
【０００１】この発明は，電気機器において消費される電力，機器のインピーダンス，あるいは設置された機器の絶縁抵抗等を機器が通常の稼動状態において安全に計測する測定器に関する。
【背景技術】
【０００２】負荷で消費される電力等，設置され稼働中の機器のインピーダンス等，あるいは絶縁抵抗を，簡易，簡便に測定するため，電流の検出についてはクランプ式変流器，零相変流器など様々な方式のものが研究，開発され実用化されてきた。
しかしながら，電圧検出器の設置に際しては，活線状態の配電線を操作することが危険なため，配電を一旦遮断し，必要な作業を行い，その後，通電，測定を実施し，再度電源の遮断の後，電圧検出器を取り外す等の作業手順が必要であった。
また、機器に流入する電流については、電流信号の長距離伝送が情報を劣化させるため、電流検出器の近傍に測定器を設置することが必要であった。
すなわち、測定器を操作する、あるいは配置する場所が、当該電気機器の設置箇所と一致することが求められ、この結果、測定器の操作者について安全、衛生上の環境を満たしつつ、迅速、正確な測定を実施することが困難であった。【０００３】
【特許文献１】
【特許文献２】
【発明の開示】
【発明が解決しようとする課題】
【０００４】この発明は，測定のために計測器に入力しなければならない電圧、あるいは電流信号を，簡便，迅速，確実に検出し，安全に測定する手法を実現することにある。
【課題を解決するための手段】
【０００５】機器等で消費される電力，インピーダンス，あるいは絶縁抵抗等を測定するため，同機器等に流れる電流はクランプ式変流器，零相変流器等の変流器，あるいは分流器等により検出する。
同機器等に印加される電圧は，同機器が接続されている電圧と位相の等しい電圧が配線されている壁コンセント等で検出する。
検出した電圧あるいは電流，あるいは電圧及び電流信号は，これをディジタル信号に変換し，赤外線，電磁波，あるいは配電線を伝送手段とした送信装置を発信元として送信する。
試験電圧電流遠隔検出交流測定器は，上記送信装置から送信された電圧等の信号を受信し，あるいは電流検出器で検出された信号を入力し，これら電圧，電流情報を用いて，電気機器，家電機器等に印加された電圧，電流，消費電力，インピーダンス，力率，あるいは漏れ電流等を，表示，記録，あるいは他のコンピュータに伝送する。
なお，電圧の大きさについては，配電線の電圧が既知の場合，電圧を測定することなく，定格値を直捏利用することも可能である。
【発明の効果】
【０００６】本発明の試験電圧電流遠隔検出交流測定器では，試験に必要な電圧と電流を同一箇所で検出する必要が無いので，負荷を接続している配電線上であれば，場所や状況を問わず任意の箇所で，任意の時刻に測定器の着脱，設置・撤去が可能になる。
また，測定器の設置場所と測定点を同定する必然性も無くなるため，測定者の安全，衛生の確保が容易になる。
【発明を実施するための最良の形態】
【０００７】図１は，負荷に流れる電流を電流信号として検出し，交流計測器に入力し，電圧信号は負荷の接続されたコンセントとは別のただし同一の配電線で検出し，ディジタル化した後に赤外線を通信手段とし測定器に送信し，負荷にて消費される電力，機器のインピーダンス等を測定する形態を示す。【０００８】図２は，検出された負荷に流れる電流あるいは漏れ電流等の電流信号と，コンセント等の設置箇所で検出された電圧信号の両者をディジタル信号に変換し，その後，赤外線を介した通信手段を用いて計測器に伝送し，電気機器にて消費される電力，機器のインピーダンス等を測定する形態を示す。
【図面の簡単な説明】
【００１１】
【図１】本発明測定器の使用状態説明図  工場内に設置された負荷−１（発電機）が発生し電気系統に供給する電流は，把握式変流器ＣＴ−１にて測定されている。負荷−１に印加される電圧は，別の棟の事務室に設置されたコンセントで計測し，その電圧と位相情報を電圧信号送信機にて送信している。交流測定器では，把握式変流器で検出された電流と，別棟か事務室ら送信された電圧情報を受信し，工場内の試験室にて負荷に印加されている電圧，流れる電流，負荷の力率，消費される電力，インピーダンス等を計測している。
【図２】本発明測定器の使用状態説明図  負荷−１に流れる電流が把握式変流器ＣＴ−１にて検出され，振幅と位相情報が電流信号送信機から交流測定器−１に向かって送信されている。負荷−１に印加されている電圧は，別の敷地，建物にあるコンセントで検出，計測され，交流測定器で受信された電流情報を利用して，負荷に印加されている電圧，流れる電流，負荷の力率，消費される電力，インピーダンス等を計測し，表示している。
【図３】本発明測定器の使用状態説明図  負荷−１に流れる電流が把握式変流器ＣＴ−１にて検出され，振幅と位相情報が電流信号送信機から交流測定器−１に向かって送信されている。同時に，負荷−１に印加されている電圧と位相情報が電圧信号送信機から交流測定器−１に向かって送信されている。交流測定器−１では，受信した電圧，電流情報を利用して，負荷に印加されている電圧，流れる電流，負荷の力率，消費される電力，インピーダンス等を計測し，表示している。
【図４】本発明測定器の使用状態説明図  ある建築物内の負荷−２，負荷−３，負荷−４のいずれか，あるいは全体で漏れている電流の総和が把握式変流器ＣＴ−２にて検出されている。同時に，建築物に導入されている電圧と位相情報が電圧信号送信機から交流測定器−２に向かって送信されている。交流測定器−２では，電圧情報と漏れ電流情報を利用して，負荷に印加されている電圧，漏れ電流の総計を計測し，絶縁抵抗を算出し表示している。
【符号の説明】
１  負荷１  発電機を例とした電気機器の一例
２  負荷２  扇風機を例とした電気機器の一例
３  負荷３  テレビを例とした電気機器の一例
４  負荷４  パソコンを例とした電気機器の一例
５  負荷５  冷蔵庫を例とした電気機器の一例
６  電圧信号送信機  電圧の振幅情報，あるいは位相情報，あるいはその両者を赤外線，あるいは電磁波などを介在して送信する送信機。
７  電流信号送信機  電流の振幅情報，あるいは位相情報，あるいはその両者を赤外線，あるいは電磁波などを介在して送信する送信機。
８  交流測定器−１  変流器の出力信号を入力し，電圧信号送信機からの信号を受信し，電圧，電流，力率，電力，インピーダンス等測定表示するもの。
９  交流測定器−２  電流信号送信機からの信号を受信し，コンセント等から検出した電圧信号を入力し，電圧，電流，力率，電力，インピーダンス等測定表示するもの。
１０  交流測定器−３  電流信号送信機からの電流信号と，電圧信号送信機からの電圧信号を受信し，電圧，電流，力率，電力，インピーダンス等測定表示するもの。
１１  交流測定器４  変流器の出力信号を入力し，電圧信号送信機からの信号を受信し，電圧，漏れ電流，絶縁抵抗等を測定し表示するもの。
【図−１】
2009250966.tif 000003
【図−２】
2009250966.tif 000004
【図−３】
2009250966.tif 000005
【図−４】
2009250966.tif 000006